(57)【要約】【課題】  セメント系の鼻板やセメント系の壁等の建物からポリカーボネート樹脂製の樋取付け具側に移行するのを簡単な構成で確実に防止して、固定部の挿入孔部分がアルカリ成分の影響を受けず、この部分にクラックが生じない。【解決手段】  樋を取付けるための樋取付け部１と、建物２に固着具３により固定するための固定部４とを備えたポリカーボネート樹脂製の樋取付け具５である。一端部外周にフランジ部６を設けた筒体７を耐アルカリ性の材料で形成する。固定部４に設けた挿入孔８に筒体７を嵌め込むと共にフランジ部６を固定部４の建物側の面に重ねる。筒体７の貫通孔７ａを固定部４を建物に固定する際に固着具３を挿通するための固着具挿入孔部９とする。【選択図】図１
2007100480.tif 000002
【特許請求の範囲】
【請求項１】
樋を取付けるための樋取付け部と、建物に固着具により固定するための固定部とを備えたポリカーボネート樹脂製の樋取付け具であって、一端部外周にフランジ部を設けた筒体を耐アルカリ性の材料で形成し、固定部に設けた挿入孔に筒体を嵌め込むと共にフランジ部を固定部の建物側の面に重ね、筒体の貫通孔を固定部を建物に固定する際に固着具を挿通するための固着具挿入孔部として成ることを特徴とする樋取付け具。
【請求項２】
筒体を固着具の挿入孔に着脱自在に嵌め込むと共に筒体の他端部に挿入孔の孔縁部に着脱自在に係止する係止突起を設けて成ることを特徴とする請求項１記載の樋取付け具。
【請求項３】
挿入孔に嵌め込んだ筒体の他端部に固定部の挿入孔より突出する緩衝部を設けて成ることを特徴とする請求項１又は請求項２記載の記載の樋取付け具。
【発明の詳細な説明】
【技術分野】
【０００１】
本発明は、セメント系の鼻板やセメント系の壁等の建物の部位に軒樋や縦樋等の樋を取付けるための樋取付け具に関するものである。
【背景技術】
【０００２】
従来から軒樋や縦樋等の樋を鼻板や壁等の建物の部位に取付けるための樋取付け具としてポリカーボネート樹脂製のものが特許文献１により知られており、このポリカーボネート樹脂製の樋取付け具は金属のように錆びたりせず、しかも強度が強いという特徴を有している。
【０００３】
上記特許文献１に示された従来例のポリカーボネート樹脂製の樋取付け具は、可塑剤を含んだ塩化ビニル被覆鋼鈑製の鼻板などに取付けるためのもので、樋取付け具の固定部の建物側の面に別体の添加物遮断膜を両面粘着テープで貼り付けたり、あるいは、樋取付け具の成形時に同時成形で樋取付け具を被覆するように添加物遮断膜を一体に成形したりしたものである。
【０００４】
しかしながら、上記従来例においては、樋取付け具の固定部の建物側の面に別体の添加物遮断膜を両面粘着テープで貼り付ける際に位置ずれして添加物遮断膜が固定部からはみ出して施工仕上がりが悪かったり、あるいは、同時成形で成形するものにおいては製造コストが高くつくという問題があった。
【０００５】
しかも、樋取付け具の建物への固定に当たっては、固定部に設けた挿通孔にビスのような固着具を挿入して建物の鼻板や壁にねじ込むことで固着するのであるが、建物側からビスを伝って可塑剤が固定部の挿入孔に移行するが、この挿入孔の内周はポリカーボネートが剥きだしの状態であり、挿入孔部分は可塑剤の影響を受けてしまう。また、挿入孔部分はビス締めの締め付け応力が集中する部分であり、可塑剤による影響とビス締めの応力集中の影響とで挿入孔部分からクラックが発生するという問題がある。
【０００６】
しかも、上記特許文献１に示された従来例は可塑剤を含んだ塩化ビニル被覆鋼鈑製の鼻板に取付けるポリカーボネート樹脂製の樋取付け具を取付けるに当たって、可塑剤の影響を無くすために塩化ビニルに添加された可塑剤を遮断する添加物遮断膜を設けることが開示されているのみで、セメント系の鼻板やセメント系の壁等にポリカーボネート樹脂製の樋取付け具を取付けるに当たって、セメント系の鼻板やセメント系の壁等からポリカーボネート樹脂製の樋取付け具に移行するアルカリ成分の影響をどのようにして防止するかということについては開示されていない。
【０００７】
特に、セメント系の鼻板やセメント系の壁等の建物のセメント系の部位に固着具により固着した場合、セメント粉が固着具を挿入する固定部の挿入孔に侵入し、このセメント粉のアルカリ成分がポリカーボネート樹脂がむき出しになった固定部の挿入孔の内周面に影響を及ぼすことになって、固着具の固着により応力が集中する部分である固定部の挿入孔部分（挿入孔の周囲の部位）においてクラックが生じやすいという問題があり、この点を解決する必要がある。
【特許文献１】特開平１０−１９６０７２号公報
【発明の開示】
【発明が解決しようとする課題】
【０００８】
本発明は上記の従来の問題点に鑑みて発明したものであって、セメント系の鼻板やセメント系の壁等の建物からポリカーボネート樹脂製の樋取付け具側に移行するのを簡単な構成で確実に防止でき、しかも、ポリカーボネート樹脂製の樋取付け具をセメント系の鼻板やセメント系の壁等の建物の部位に固着具により取付けた場合、固定部の挿入孔部分がアルカリ成分の影響を受けず、この部分にクラックが生じたりせず、また、固着具による締め付け応力を緩和して固定部の挿入孔部分にクラックが生じたりせず、更に、樋取付け具への筒体の取付けが容易にできる樋取付け具を提供することを課題とするものである。
【課題を解決するための手段】
【０００９】
上記課題を解決するために本発明に係る樋取付け具は、樋２０を取付けるための樋取付け部１と、建物２に固着具３により固定するための固定部４とを備えたポリカーボネート樹脂製の樋取付け具５であって、一端部外周にフランジ部６を設けた筒体７を耐アルカリ性の材料で形成し、固定部４に設けた挿入孔８に筒体７を嵌め込むと共にフランジ部６を固定部４の建物側の面に重ね、筒体７の貫通孔７ａを固定部４を建物に固定する際に固着具３を挿通するための固着具挿入孔部９として成ることを特徴とするものである。
【００１０】
このような構成とすることで、固定部４の挿入孔８に嵌め込んだ筒体７の一端部のフランジ部６をセメント系の鼻板１２やセメント系の壁等の建物のセメント系の部位に当接した状態で、筒体７の固着具挿入孔部９からビスのような固着具３を挿入して建物のセメント系の部位に固着することで、耐アルカリ性のフランジ部６により建物のセメント系の部位からアルカリ成分がポリカーボネート樹脂製の樋取付け具５側に移行するのを防止でき、しかも、固着具３を伝ってアルカリ成分が移行しても耐アルカリ性の筒体７により遮断されてポリカーボネート樹脂製の固定部４の挿入孔８の内周面に移行せず、固着具３の固着によって応力が集中するポリカーボネート樹脂製の固定部４の挿入孔８部分がアルカリ成分の影響を受けず、この部分にクラックが生じたりしない。
【００１１】
また、筒体７を固着具３の挿入孔８に着脱自在に嵌め込むと共に筒体７の他端部に挿入孔８の孔縁部に着脱自在に係止する係止突起１０を設けることが好ましい。
【００１２】
このような構成とすることで、挿入孔８に筒体７を嵌め込んで係止突起１０を着脱自在に係止するだけで、簡単且つ正確に耐アルカリ性を有するフランジ部６付きの筒体７を固定部４に取付けることができ、高所で取り扱っても、作業中に筒体７が固定部４から外れて落下したりしない。
【００１３】
また、挿入孔８に嵌め込んだ筒体７の他端部に固定部４の挿入孔８より突出する緩衝部１１を設けることが好ましい。
【００１４】
このような構成とすることで、固着具３の固着による応力を挿入孔８から突出した緩衝部１１で受けてこの部分で緩衝でき、ポリカーボネート樹脂製の固定部４の挿入孔８部分への応力集中を緩和でき、この結果、固着具３による挿入孔８への応力集中の緩和効果と、上記耐アルカリ性の筒体７による挿入孔８部分へのアルカリ成分の影響防止効果との相乗により、ポリカーボネート樹脂製の固定部４に設けた挿入孔８部分にクラックの発生をより確実に防止することができる。
【発明の効果】
【００１５】
本発明は、上記のようにポリカーボネート樹脂製の樋取付け具の固定部の挿入孔部分に建物のセメント系の部位からアルカリ成分が移行して挿入孔部分のポリカーボネート樹脂部分に影響を及ぼしてこの部分にクラックが生じるという現象を、簡単な構成で防止することができる。
【発明を実施するための最良の形態】
【００１６】
以下、本発明を添付図面に示す実施形態に基いて説明する。
【００１７】
軒樋や縦樋等の樋２０を建物に取付けるための樋取付け具５は樋を取付けるための樋取付け部１と、建物２に固着具３により固定するための固定部４とを備えたもので、ポリカーボネート樹脂により一体に形成してあり、このポリカーボネート樹脂製の樋取付け具５は金属製のように錆が発生せず、また、強度も強いものである。
【００１８】
添付図面に示す実施形態においては樋取付け具５として軒樋２０ａを取付けるための軒樋吊り具が示してあり、この実施形態では樋取付け部１に軒樋２０ａの外側側片２１の上端部に設けた外側耳部２２を係止して支持するための外側係止部１３が設けてあると共に軒樋２０ａの内側側片２３の上端部に設けた内側耳部２４を係止して支持するための内側係止部１４が設けてある。
【００１９】
また、固定部４は垂直板状をしたもので、複数個の挿入孔８が板状部分の厚み方向に貫通して形成してある。
【００２０】
一端部外周にフランジ部６を設けた筒体７は図３に示すようなもので、ＰＥＴやポリエチレン樹脂等の耐アルカリ性の材料（耐アルカリ性の合成樹脂）で形成してある。筒体７の他端部には周方向に複数個の係止突起１０が外方に向けて突設してある。また、この係止突起１０は固着具３による固着時の応力（例えば、固着具３がビスの場合、ビスの締付け応力）を緩衝するための緩衝部１１を兼用している。
【００２１】
このフランジ部６、緩衝部１１を兼用する係止突起１０を備えた耐アルカリ性の優れた材料で形成した筒体７は、上記ポリカーボネート樹脂製の樋取付け具５の固定部４の外面（建物側の面）側から挿入孔８に嵌め込んで取付けるもので、筒体７の一端部に設けたフランジ部６が固定部４の建物２側の面に重なると共に、筒体７の他端部に設けた緩衝部１１を兼ねた係止突起１０が挿入孔８から突出して挿入孔８の孔縁部に着脱自在に係止して固定部４の挿入孔８から筒体７が脱落しないようになっている。このように固定部４の挿入孔８に筒体７を嵌め込むことで、筒体７の貫通孔７ａが固定部４を建物２に固定するに当たって固着具３を挿通するための固着具挿入孔部９となる。
【００２２】
上記の構成の耐アルカリ性の材料で形成した筒体７を挿入孔８に嵌め込んだポリカーボネート製の樋取付け具５は、セメント系の鼻板１２やセメント系の壁等の建物のセメント系の部位に固着具３により固着するものである。
【００２３】
固着に当たっては図１、図２に示すように、耐アルカリ性の筒体７の一端部のフランジ部６をセメント系の鼻板１２やセメント系の壁等の建物のセメント系の部位に当接した状態で、筒体７の固着具挿入孔部９にビスのような固着具３を挿入して固着具３をセメント系の鼻板１２やセメント系の壁等の建物のセメント系の部位に固着する。この場合、固着具３の頭部３ａが固定部４から突出した緩衝部１１を押圧して押し潰すような状態となり、これにより固着具３の固着による応力（ビスの場合ビス締めの締め付け応力）を緩衝部１１で緩和してポリカーボネート製の固定部４の挿入孔８部分への応力集中を緩和するようになっている。
【００２４】
また、このポリカーボネート製の樋取付け具５のセメント系の鼻板１２やセメント系の壁等の建物のセメント系の部位への固着状態では、ポリカーボネート製の樋取付け具５の固定部４と、セメント系の鼻板１２やセメント系の壁等の建物のセメント系の部位との間に耐アルカリ性のフランジ部６が介在されているので、セメント系の鼻板１２やセメント系の壁等の建物のセメント系の部位からセメントのアルカリ成分がポリカーボネート製の固定部４に移行して影響を及ぼさないようになっている。また、上記固着具３による固着時にセメント粉が固着具挿入孔部９に入り込むことがあるが、仮に固着具挿入孔部９にセメント粉が入り込んでもポリカーボネート製の固定部４の挿入孔８の内面に接触することはなく、また、施工後に固着具３を伝ってセメント系の鼻板１２やセメント系の壁等の建物のセメント系の部位からセメントのアルカリ成分が移行しても固着具挿入孔部９内に移行するのみでポリカーボネート製の固定部４の挿入孔８の内面にアルカリ成分が移行することはない。したがって、ポリカーボネート製の固定部４の挿入孔８部分がアルカリ成分により影響を受けることがなくて、この部分にクラックが生じにくくなる。
【００２５】
そして、上記のように、緩衝部１１を設けた場合は、固着具３の固着による応力の緩衝による固定部４の挿入孔８の部分におけるクラック防止効果と、上記アルカリ成分の影響を受けないことによる固定部４の挿入孔８部分におけるクラック防止効果とが相俟って、この部分におけるクラック発生をより確実に防止することができる。
【００２６】
なお、添付図面に示す実施形態では樋取付け具５として軒樋２０ａを取付けるための軒樋吊り具を示したが、樋取付け具５が縦樋を取付けるものであってもよい。
【図面の簡単な説明】
【００２７】
【図１】本発明の一実施形態の断面図である。
【図２】同上の要部拡大断面図である。
【図３】同上に用いる筒体を示し、（ａ）は斜視図であり、（ｂ）は正面図であり、（ｃ）は側面図である。
【符号の説明】
【００２８】
１  樋取付け部
２  建物
３  固着具
４  固定部
５  樋取付け具
６  フランジ部
７  筒体
７ａ  貫通孔
８  挿入孔
９  固着具挿入孔部
１０  係止突起
１１  緩衝部
【図１】
2007100480.tif 000003
【図２】
2007100480.tif 000004
【図３】
2007100480.tif 000005